Podtech/llm-jp-corpus-v4-ja_patent huggingface dataset:
(57)【要約】【課題】  ヒンジ型ソレノイドに於いて、吸引板片と固定鉄芯の吸引距離が長いと吸引開始時の吸引力が弱い為、長い吸引距離での吸引力の大幅な増加を図る為。【解決手段】  ヒンジ型ソレノイドに於いて、吸引板片の端に吸引板片の戻しバネを掛け止めしてある形状のソレノイドに於いて、吸引用コイルの中心に固定された固定鉄芯は、円錐台形状に加工した凹部が設けられている。固定鉄芯の相対位置に当たる吸引板片には円錐台形状に加工した吸引鉄芯を固定鉄芯側に凸状に固定し、固定鉄芯と吸引鉄芯の吸引距離を短くすることにより、吸引開始時の吸引板片の吸引力を大幅に強くすることが出来る。【選択図】  図４
2005277360.tif 000002
【特許請求の範囲】
【請求項１】
ヒンジ型直流ソレノイドの吸引板片の端に吸引板片の戻しバネが掛け止めしてある状態の物に於いて、吸引用コイルの中心に固定された鉄芯は円錐台形状に加工された凹部を設けてある。（以下固定された鉄芯は固定鉄芯と言う）
固定鉄芯の相対位置に当たる吸引板片には、円錐台形状の凸部の鉄芯（凸部の鉄芯は以下吸引鉄芯と言う）は固定鉄芯側に固定し、これにより吸引板片に設けられた吸引鉄芯と固定鉄芯の吸引距離を短くし、吸引開始時の吸引力を高めたソレノイド。
【発明の詳細な説明】
【発明の詳細な説明】
【技術分野】
【０００１】  本発明は、ヒンジ型直流ソレノイドの駆動構造に関するものである。
【背景技術】
【０００２】  図１は従来のヒンジ型ソレノイドの構成を示す説明用断面図であり、１はヨーク、２は吸引板片、３は固定鉄芯、４は戻しバネ、５はコイルである。
従来ヒンジ型ソレノイドは吸引力が弱い為、吸引板片と固定鉄芯の吸引距離を長く（角度を広く）出来ない為、プランジャー型ソレノイドかロータリーソレノイドを使用するのが一般的であった。又、ヒンジ型直流ソレノイドを使用する場合は、形状を大きくし、コイル形状を大きくするか、電流を多く流すしか方法が無かった。
【発明が解決しようとする課題】
【０００３】  本発明では、パチンコ機械の玉の振り分け、スロットルマシンのメタルの振り分け、自動販売機のコイン選別機構、ワンマンバスのコインの払い出し機構等に使用される。又、使用の際には戻しバネの反発力を利用するのが効果的である。
従来のヒンジ型ソレノイドに於いては、戻しバネの荷重を強くすると吸引板片が吸引しないか、吸引力が弱くなる為、本発明では、その改良を目的とする。
【課題を解決する為の手段】
【０００４】  ヒンジ型ソレノイドはプランジャー型やロータリー型ソレノイドに比べて一般的に吸引力が弱いとされる点に対して、吸引開始時の吸引力を強くする方法として、固定鉄芯の中心を円錐台形状に加工した凹部を設けた。又、固定鉄芯の中心と吸引板片の相対位置に円錐形状に加工した可動鉄芯を凸状に固定することにより、固定鉄芯と可動鉄芯が短くなり、吸引開始時の力を大幅に強くすることが出来る。
【作用】
【０００５】  ０００４項に於いて説明した如く、吸引板片の吸引鉄芯、固定鉄芯が近づくことにより、有効に強い吸引力を得ることが出来る。吸引力は距離の２乗に反比例するので、吸引力を強くする為には、有効な方法である。吸引板片の戻しバネは吸引開始から吸着まで荷重は直線的に増加するが、吸引力は２次曲線的に増加する為、バネ荷重より吸引力が強ければ問題はない。
【実施例】
【０００６】  図１は、従来のヒンジ型ソレノイドの構成を示す断面図であり、図面を用いて本発明の実施例について説明する。図２、図３は本発明のヒンジ型ソレノイドの外観図であり、図２は平面図、図３は正面図である。図４、図５は説明用断面図であり、図４は無通電時、図５は通電時を示す。【０００７】  図２以降について本発明の詳細を説明する。
各図面は同一記号のものは同じ作用をする部材なので、その重複した説明は省略する。１はヨーク、材質は磁性体、例をいえば軟鋼板（ＳＰＣＣ）、２は吸引板片、材質は磁性体、例をいえば軟鋼板（ＳＰＣＣ）、３は固定鉄芯、材質は磁性体、例をいえば快削鋼（ＳＵＭ２４Ｌ）、４は戻しバネ、５はコイル、６は吸引鉄芯、材質は磁性体、例をいえば快削鋼（ＳＵＭ２４Ｌ）で構成されている。【０００８】  本発明の各部品の配置は、図４に表されている。コイル５の中心に固定されている固定鉄芯３は中心部が円錐台形状に加工された凹部になっている。又、固定鉄芯３の中心と吸引板片２の相対位置には、円錐台形状に加工された凸部を有した吸引鉄芯６が固定されている。コイル５に通電し、吸引板片２が吸引された時、固定鉄芯３の凹部と吸引鉄芯６の凸部間は、適当な隙間を設けて有り、吸引途中及び吸引時（吸引時は図５に表されている）各々が接触しないような構造となっている。【０００９】  それにより吸引鉄芯６と固定鉄芯３の距離が従来のヒンジ型ソレノイドより短くなり、通電時に吸引開始時点の吸引力を大幅に強くすることが出来る。【００１０】  動作は、通電により吸引板片２が吸引され、通電を止めると戻しバネ４により元に位置に復帰する。【００１１】  図６は、従来と本発明の吸引力と吸引距離の関係を表したものであり、本発明は吸引開始時に従来のものと比べ大幅に強い吸引力を得ることが出来る。
【本発明の効果】
【００１２】  本発明のヒンジ型ソレノイドによれば、吸引板片と固定鉄芯の距離を長く（角度を広く）出来る為、小型化することが可能であり、コストダウンを図ることが出来る。又、パチンコ機械の玉の振り分け機構やスロットルマシンのメダルの振り分け機構、自動販売機のコインの選別機構、ワンマンバスのコインの払い出し機構等、小型化が可能であり、コストダウンを図ることが出来る。又、消費電力を少なくしたり、コイルの発熱を押さえることも出来る。
【図面の簡単な説明】
【図１】  従来のヒンジ型ソレノイドの構成を示す断面図
【図２】  本発明の平面図
【図３】  本発明の正面図
【図４】  無通電時の説明用断面図
【図５】  通電時の説明用断面図
【図６】  従来と本発明の吸引力と吸引距離の関係を表したグラフ
【符号の説明】
１  ヨーク
２  吸引板片
３  固定鉄芯
４  戻しバネ
５  コイル
６  吸引鉄芯
【図１】
2005277360.tif 000003
【図２】
2005277360.tif 000004
【図３】
2005277360.tif 000005
【図４】
2005277360.tif 000006
【図５】
2005277360.tif 000007
【図６】
2005277360.tif 000008
(57)【要約】【課題】  設置スペースを小さくする必要があった。【解決手段】  本発明は上述の課題を解決するために、外形寸法が幅Ｗ、高さＨ、奥行きＤとされ、奥行きＤが幅Ｗ及び高さＨの何れよりも小さい形状とされている。【選択図】        図５
2005277540.tif 000002
【特許請求の範囲】
【請求項１】
外形寸法が幅Ｗ、高さＨ、奥行きＤとされ、奥行きＤが幅Ｗ及び高さＨの何れよりも小さい形状とされていることを特徴とするスピーカー。
【請求項２】
前記スピーカーの背面からスピーカーケーブルが引き出され、このスピーカーケーブルを収容するための溝が背面に設けられていることを特徴とする請求項１に記載のスピーカー。
【発明の詳細な説明】
【技術分野】
【０００１】
本発明は、スピーカーに関する。
【背景技術】
【０００２】
５．１チャンネル又は６．１チャンネルといったマルチチャンネルサラウンド信号を再生する、所謂ホームシアターシステムが一般家庭に普及している。このシステムは基本的にはサブウーハーと呼ばれる低音域を再生するためのスピーカーが独立して設置される。
【０００３】
サブウーハーから再生される低音は人間においてはどこから音が再生されているかわからないので、一般にこのサブウーハーは部屋のどこにおいても構わないとされている。サブウーハーは単にスピーカーであり、操作される操作部が無いため、通常は壁際に設置することが多い。
【発明の開示】
【発明が解決しようとする課題】
【０００４】
特に狭いリスニングルームにおいてはサブウーハーの設置スペースはできるだけ小さいことが望ましい。一方でサブウーハーの内部容量を小さくすることは、その低音再生の見地からは望ましいことではないという、相反する要求が生じる。
【課題を解決するための手段】
【０００５】
本発明は上述の課題を解決するために、外形寸法が幅Ｗ、高さＨ、奥行きＤとされ、奥行きＤが幅Ｗ及び高さＨの何れよりも小さい形状とされている。
【発明の効果】
【０００６】
本発明によれば、ある一定以上の容積を有し、且つ設置面積の小さいスピーカーを提供できる。
【発明を実施するための最良の形態】
【０００７】
以下、本発明による最良の実施形態を、添付図面を参照しながら説明する。
【実施例】
【０００８】
以下、本発明の実施例を説明する。図１〜図５はサブウーハー１の正面図、上面図、右側面図、背面図及び斜視図である。サブウーハー１のボックス２には点線で示すサブウーハーユニット３が取り付けられ、このサブウーハーユニット３の前面にはユニット保護のためのスピーカーグリル４がボックス２に取り付けられている。
【０００９】
ボックス２の外形寸法は幅Ｗが３２０ｍｍ、高さＨが３２０ｍｍ、奥行きＤが１０８ｍｍとされ、奥行きＤが幅Ｗ及び高さＨよりも小さい形状とされている。また、背面から外部に出ているスピーカーケーブル５が邪魔にならないよう、図４及び図５に示すごとく、ボックス２の背面に溝６が設けられている。この溝は左右どちらにでもスピーカーケーブル５を引き出すことを可能とすべく、ボックス２の背面において左右に伸び、側面に達している。
【００１０】
図４に示すごとく、この溝６からスピーカーケーブル６がボックス２から引き出されており、スピーカーケーブル６をこの溝６内に収納することでサブウーハー１を壁面にぴったり寄せることが可能となる。その場合、奥行きＤが小さいため、サブウーハー１を邪魔にならずに配置することが可能となる。
【００１１】
なお、上述の実施例は本発明を５．１チャンネル用のサブウーハーに適用して説明したが、本発明は上述の実施例に限定されることなく、他のスピーカーにおいても適用可能であり、本発明の趣旨を逸脱しない範囲で種々の態様を取り得る。
【図面の簡単な説明】
【００１２】
【図１】サブウーハー１の正面図。
【図２】サブウーハー１の上面図。
【図３】サブウーハー１の右側面図。
【図４】サブウーハー１の背面図。
【図５】サブウーハー１の斜視図。
【符号の説明】
【００１３】
１  サブウーハー
２  ボックス
３  サブウーハーユニット
４  スピーカーグリル
５  スピーカーケーブル
６  溝
【図１】
2005277540.tif 000003
【図２】
2005277540.tif 000004
【図３】
2005277540.tif 000005
【図４】
2005277540.tif 000006
【図５】
2005277540.tif 000007
(57)【要約】【課題】所望のソフトフォーカス効果を精度良く得ることのできるソフトフォーカスフィルタを提案すること。【解決手段】デジタルカメラ１の撮影レンズ４の前面には、着脱可能な状態でソフトフォーカスフィルタ２０が取り付けられている。ソフトフォーカスフィルタ２０の入射側レンズ面２１は非球面形状をしており、出射側レンズ面２２は平面形状となっている。非球面形状を適切に設定することにより、透過光に対して球面収差が付与され、所望のソフトフォーカス効果が得られる。【選択図】      図１
2005055491.tif 000002
【特許請求の範囲】
【請求項１】
透過光に球面収差を付与して所定のソフトフォーカス効果が得られるように、少なくとも一方のレンズ面が非球面である非球面レンズからなるソフトフォーカスフィルタ。
【発明の詳細な説明】
【０００１】
【発明の属する技術分野】
本発明は、ビデオカメラ、デジタルカメラなどのカメラにおける撮影レンズの前面あるいは後面などに取り付けて用いるソフトフォーカスフィルタに関するものである。
【０００２】
【従来の技術】
一般に、カメラ用レンズは、各種収差を可能な限り補正してより鮮明な像を結像できるように設計されている。しかるに、撮影手法としては、写真画像の鮮鋭度を低下させたソフト描写が知られており、ソフト描写の場合には収差を故意に残すように設計されたソフトフォーカスレンズが用いられている。
【０００３】
ソフトフォーカスレンズを用いずに、一般のカメラ用レンズを用いて手軽にソフト描写による撮影を行う場合には、レンズの前面などに取り付け可能なソフトフォーカスフィルタが用いられている。ソフトフォーカスフィルタは、例えば、ガラス表面にサンドブラスト処理などを施してレモンピール状の凹凸面あるいは梨地面にした構成となっている。また、液晶を用いた可変ソフトフォーカスフィルタも知られており、例えば、下記の特許文献に開示されている。
【０００４】
【特許文献】
特開平１０−４８５８９号公報
【０００５】
【発明が解決しようとする課題】
本発明の課題は、ソフト描写効果を得るためにカメラ用レンズなどの前面などに付けて用いる新規なソフトフォーカスフィルタを提案することにある。
【０００６】
【課題を解決するための手段】
カメラ用レンズにおいては、球面収差補正のために、非球面レンズが多用されており、非球面形状を適切に設定することにより可能な限り球面収差などの収差を除去している。本発明者は、球面収差を除去するために利用されている非球面レンズに着目し、従来の考え方とは逆に、積極的に球面収差を発生させるためのソフトフォーカスフィルタとして非球面レンズを利用することを考え付いたのである。
【０００７】
すなわち、本発明のソフトフォーカスフィルタは、所定のソフトフォーカス効果が得られるように、少なくとも一方のレンズ面が非球面である非球面レンズからなることを特徴としている。
【０００８】
本発明によれば、従来のソフトフォーカスフィルタに比べて、非球面形状を適切に設定することにより、精度良く、所望のソフトフォーカス効果を得ることが可能である。
【０００９】
【発明の実施の形態】
以下に、図面を参照して、本発明を適用したソフトフォーカスフィルタが取り付けられたデジタルカメラの例を説明する。
【００１０】
図１は本実施の形態に係るデジタルカメラの縦断面図である。デジタルカメラ１は一眼レフタイプのものであり、カメラ筐体２の前面のレンズマウント３には撮影レンズ４が取り付けられている。撮影レンズ４を介して入射した光のうち、メインミラー５を透過した撮影光成分が、メインミラー５の背面側に配置されているシャッタユニット６およびフィルタユニット（光学フィルタ）７を介して固体撮像素子であるＣＣＤ８を照射する。メインミラー５で反射された入射光成分は、垂直に立ち上げられて、ファインダースクリーン９およびペンタプリズム１０を介して接眼光学系１１に導かれる。また、メインミラー５の背面にはサブミラー１２が配置されている。メインミラー５を透過した撮影光成分のうちの一部が当該サブミラー１２により下方に垂直に反射され、オートフォーカスユニット１３に導かれる。
【００１１】
ここで、撮影レンズ４の前面には、着脱可能な状態でソフトフォーカスフィルタ２０が取り付けられている。ソフトフォーカスフィルタ２０は非球面レンズから形成されており、例えば、その入射側のレンズ面２１が非球面とされ、出射側のレンズ面２２は平面とされている。非球面形状を適切に設定することにより、ＣＣＤ８の結像に所望のソフトフォーカス効果が得られるようになっている。すなわち、当該ソフトフォーカスフィルタ２０を通過する入射光に所定の球面収差が付与されるようになっている。
【００１２】
なお、ソフトフォーカスフィルタ２０の両面を非球面としてもよい。あるいは、その出射側（結像側）のレンズ面２２のみを非球面とすることもできる。また、ソフトフォーカスフィルタ２０は、撮影レンズ４の後面（レンズマウント側）に取り付けても良い。
【００１３】
【発明の効果】
本発明のソフトフォーカスフィルタは非球面レンズにより形成されているので、非球面形状を適切に設定することにより、従来のソフトフォーカスフィルタに比べて、精度良く、所望のソフトフォーカス効果を得ることができる。
【図面の簡単な説明】
【図１】本発明によるソフトフォーカスフィルタが取り付けられたデジタルカメラを示す概略構成図である。
【符号の説明】
１    デジタルカメラ
４    撮影レンズ
２０  ソフトフォーカスフィルタ
２１  非球面形状のレンズ面
２２  レンズ面
【図１】
2005055491.tif 000003
(57)【要約】【課題】道路やビルや地下街等での、地下に埋設される地下埋設物の位置、種類、大きさ、連絡先などの情報を直接現場で記録し読み取る情報記録装置を開発し、掘削作業の迅速化をはかる。【解決手段】地下埋設物の位置、種類、大きさ、連絡先などの情報を記録する媒体としてＩＣチップ等の電子式記録装置を使用し、これを錨に埋め込み直接施工現場に打ち込みこむことにより、情報の記録、読み取りを、直接現場でおこなうことができる。【選択図】図１
2005055414.tif 000002
【特許請求の範囲】
【請求項１】
地下埋設物の位置、種類、大きさ、連絡先などの情報を記録し読み取る情報記録装置において、この情報を記録する媒体としてＩＣチップ等の電子式記録装置を使用し、これを錨に埋め込み直接施工現場に打ち込みこむことにより、情報の記録、読み取りを、直接現場でおこなうことができる、地下埋設物情報記録装置。
【発明の詳細な説明】
【発明の詳細な説明】
【発明が属する技術分野】
【０００１】本発明は、地下埋設物情報記録装置において、特に、この情報を記録する媒体としてＩＣチップ等の電子式記録装置に記録し錨に直接埋め込み、直接施工現場に打ち込むことにより、施工現場にて地下埋設物情報を記録、読み取りすることができる、地下埋設物情報記録装置に関するものである。
【背景技術】
【０００２】従来、この種の地下埋設物情報記録は、設計図や施工図等の図面として記録し、それぞれの管轄する役所、電力会社、ガス会社等が管理保管している。【０００３】ところが、従来の設計図や施工図等の図面による管理方法では、道路等の掘削作業毎に、それぞれの管轄する役所、電力会社、ガス会社等、多岐に渡り膨大な時間を費やし図面を取り寄せ、それぞれの地下埋設物の位置、種類、大きさを図面上で確認したうえで掘削し、さらに今施工地下埋設物の位置情報等を新たな図面に記録し、管理保管する必要があるが、実際の工事現場では、岩石の出現やその他の諸事情で必ずしも設計図通りの埋設ができず、またこの変更情報が、正確な地下埋設物情報としてフィードバックされず、後日の掘削工事において地下埋設物破損事故につながる等の欠点があった。また、災害等で緊急を要する掘削工事が生じた際にも、地下埋設物情報をそれぞれの管轄する役所、電力会社、ガス会社等から取り寄せるため、時間のロスがあり緊急性に欠ける欠点があった。
【発明が解決しようとする課題】
【０００４】解決しょうとする問題点は、地下埋設物情報の記録や読み出しを直接現場でおこなえることである。
【０００５】  本発明はこのような背景に鑑みなされたものであって、地下埋設物情報を直接現場で記録、読み出しが可能な、地下埋設物情報記録装置を提供することである。
【課題を解決するための手段】
【０００６】以下の文章は参考用即ち、本出願に係る発明たる地下埋設物情報記録装置は、地下埋設物情報を記録する媒体としてＩＣチップ等の電子式記録装置に記録し、ＩＣチップ等の電子式記録装置を錨に埋め込み、更に、この錨を施工現場の道路等に打ち込むことで、直接施工現場で地下埋設物情報を保存できることを特徴とする。
【発明を実施するための最良の形態】
【０００７】本発明では、地下埋設物情報記録装置において、情報を記録する媒体としてＩＣチップ等の電子式記録装置に記録し、ＩＣチップ等の電子式記録装置を錨に直接埋め込み、施工現場にて地下埋設物情報を記録、読み取りすることができる、地下埋設物情報記録装置を得ることを実現した。
【実施例】
【０００８】図１は本発明たる地下埋設物情報記録装置の一実施例を示す断面図であり、１に地下埋設物情報を記録する媒体としてＩＣチップ等の電子式記録装置配置し、２にこのＩＣチップ等の電子式記録装置との情報を記録、読み取りする機器への接続用ソケットを配置し、３に雨水や異物の浸入を防ぐカバーを配置し、４に前述の１，２，３を収納する錨形筐体を配置し、これらを、道路に直接打ち込む構造となっている。【０００９】この構造により、地下埋設物の位置、種類、大きさ、連絡先などの情報を直接施工現場の道路に記録し保存できる。【００１０】  図２は地下埋設物情報記録装置に記録された、地下埋設物情報の事例であり、５の情報を記録、読み取りする機器に読み書きされたデータを示す。６の道路断面に埋設された７の地下埋設物情報記録装置を基準点として、８のガス管や、９の水道管や、１０の電力管の位置を、７の地下埋設物情報記録装置の基準点からの距離をａ，ｂ，ｃまた地表からの深さをｈａ，ｈｂ，ｈｃで表せる構造となっている。【００１１】また、本実施例ではＩＣチップ等の電子式記録装置との情報を記録、読み取りする機器への接続用ソケットを配置したが、接続用のソケットを配置せず、磁気や光信号や電波信号による通信等の接続方法も可能であり、接続用のソケットによる電気信号のみに固定するものでは無い。また、本実施例では筐体と道路に打ち込む錨の槍が一体形であるが、特に一体形に固定するものではない。
【発明の効果】
【００１２】以上述べた如く本発明によれば、地下埋設物の位置、種類、大きさ、連絡先などの情報を、この情報を記録する媒体としてＩＣチップ等の電子式記録装置を使用し、これを錨に埋め込み直接施工現場に打ち込みこむことにより、情報の記録、読み取りを、直接現場でおこなうことができ、結果、災害等で緊急を要する掘削工事が生じた際にも、地下埋設物情報をそれぞれの管轄する役所、電力会社、ガス会社等から取り寄せる必要がなく、迅速な復旧作業が可能となる。
【図面の簡単な説明】
【図１】本発明の地下埋設物情報記録装置断面図
【図２】本発明の地下埋設物情報記録装置に記録された、地下埋設物情報図
【符号の説明】
１  ＩＣチップ等の電子式記録装置２  接続用ソケット３  カバー４  錨形筐体５  情報を記録、読み取りする機器６  道路断面７  地下埋設物情報記録装置８  ガス管９  水道管１０電力管ａ  地下埋設物情報記録装置からガス管までの距離ｂ  地下埋設物情報記録装置から水道管管までの距離ｃ  地下埋設物情報記録装置から電力管までの距離ｈａ  地表からガス管までの深さｈｂ  地表から水道管までの深さｈｃ  地表から電力管までの深さ
【図１】
2005055414.tif 000003
【図２】
2005055414.tif 000004
(57)【要約】【課題】  この考案は時計の針が縁起の良い文字や絵を指すと招き猫の手が手招きをする招き猫形時計に関するものである。【解决手段】  （イ）時計と手招きをする機構を連結し招き猫形の外殻に内蔵する。（ロ）文字盤に縁起の良いとされる文字や絵を施す。【選択図】  図１
2005055419.tif 000002
【特許請求の範囲】
【請求項１】
（イ）招き猫形の外殻に手招きをする機構と時計を内蔵し連結する。
（ロ）文字盤に縁起の良いとされる文字や絵を施す。
【発明の詳細な説明】
【発明の詳細な説明】
【技術分野】
【０００１】  この発明は時計の針が縁起の良いとされる文字や絵を指すと招き猫の手が手招きをする招き猫形の時計に関するものである。
【背景技術】
【０００２】  従来の招き猫は陶磁器や石膏によるものが中心であって手は固定されているものが多い。福を招くというアピールの度合いが少ない。
【発明が解決しようとする課題】
【０００３】  本発明は手招きをする機構と時計が連結されている為、時計の針が縁起の良い文字や絵を指すと招き猫が手招きをする。招きたいものを具体的に指し示しながら手招きをする事で福を招くというアピールの度合いを向上させるものである。
【課題を解決しようとする手段】
【０００４】  その解決手段を図面にそって説明すると、
（イ）招き猫形の外殻に手招きをする機構と時計を連結し内蔵する。
（ロ）文字盤に縁起の良いとされる文字や絵を施す。
以上の構造をした招き猫形時計。
【発明の実施形態】
【０００５】
2005055419.tif 000003
わせて（金）という文字になる。この様な時に時計と手招き機構が連結されている為、招き猫が手招きのアクションをする。
【発明の効果】
【０００６】時計と手招きをする機構が連結されている為時計の針が縁起の良い文字や絵を指すと手招きをする。招きたいものを具体的に指し示しながら手招きのアクションが加わる為そのアピールの度合いが大きい。
【図面の簡単な説明】
【図１】本発明の正面図
【符号の説明】
イは招き猫形外殻  ロは文字盤  ハは縁起の良い文字
【図１】
2005055419.tif 000004
(57)【要約】【課題】  測定方向に関係なくより精度よく硬さ測定を行うことができる反発式ポータブル硬度計を提供する。【解決手段】  外筒（１）と、前記外筒内に摺動可能に設けられているインパクトハンマ（２）と、を備え、前記インパクトハンマを試料に衝突させて、その打撃速度及び反発速度との関係から、試料の硬さを測定する反発式ポータブル硬度計において、前記外筒の内周面（１ａ）と、前記内周面と接触する前記インパクトハンマの摺動面（２ａ）のうち少なくとも何れか一方に、摩擦低減処理を施した。【選択図】図１
2005055350.tif 000002
【特許請求の範囲】
【請求項１】
外筒と、
前記外筒内に摺動可能に設けられているインパクトハンマと、を備え、
前記インパクトハンマを試料に衝突させて、その打撃速度及び反発速度との関係から、試料の硬さを測定する反発式ポータブル硬度計において、
前記外筒の内周面と、前記内周面と接触する前記インパクトハンマの摺動面のうち少なくとも何れか一方に、摩擦低減処理が施されていることを特徴とする反発式ポータブル硬度計。
【発明の詳細な説明】
【技術分野】
【０００１】
本発明は、反発式ポータブル硬度計に関する。
【背景技術】
【０００２】
従来、内部に備えたインパクトハンマを試料に衝突させて、その打撃速度と反発速度との関係から試料の硬さを測定する反発式ポータブル硬度計が知られている（例えば、特許文献１）。
従来の反発式ポータブル硬度計は、外筒（図示省略）と、外筒に内蔵された弾性部材（図示省略）の弾性力によって試料に向かって撥ね飛ばされるインパクトハンマ（図示省略）と、外筒の外周面に巻回された速度検出コイル（図示省略）等から構成されている。
【０００３】
硬さ測定は、外筒を試料（図示省略）に当接させて、インパクトハンマを弾性部材の弾性力により撥ね飛ばし、インパクトハンマを試料に衝突させて反発させて行う。そして、このとき、インパクトハンマ内に内蔵された磁石が速度検出コイルを通過するときに生じる電圧に基づいて打撃速度及び反発速度を算出して硬さを測定する。
【０００４】
この反発式ポータブル硬度計は、外筒を鉛直にして硬さ測定することもできるとともに、外筒を水平にして硬さ測定することも可能であるため、測定方向の自由度が高いという利点がある。
【特許文献１】特開平１１−１６０２１６号公報
【発明の開示】
【発明が解決しようとする課題】
【０００５】
ところで、反発式ポータブル硬度計の外筒を水平にして硬さ測定する場合には、外筒を鉛直にして硬さ測定する場合と比べて、インパクトハンマと外筒との間の摩擦抵抗力が大きくなる。摩擦抵抗力が大きくなると、インパクトハンマの打撃速度及び反発速度が影響を受けるため、算出される硬さに誤差が生じてしまうという問題点があった。
【０００６】
そこで、本発明の課題は、測定方向に関係なくより精度よく硬さ測定を行うことができる反発式ポータブル硬度計を提供することである。
【課題を解決するための手段】
【０００７】
上記課題を解決するため、請求項１記載の発明は、
外筒（１）と、
前記外筒内に摺動可能に設けられているインパクトハンマ（２）と、を備え、
前記インパクトハンマを試料に衝突させて、その打撃速度及び反発速度との関係から、試料の硬さを測定する反発式ポータブル硬度計において、
前記外筒の内周面（１ａ）と、前記内周面と接触する前記インパクトハンマの摺動面（２ａ）のうち少なくとも何れか一方に、摩擦低減処理が施されていることを特徴とする。
【発明の効果】
【０００８】
請求項１記載の発明によれば、反発式ポータブル硬度計の外筒の内周面と、その内周面と接触するインパクトハンマの摺動面のうち少なくとも何れか一方に、摩擦低減処理が施されているので、外筒の内周面とインパクトハンマの摺動面との摩擦係数が低減する。従って、外筒を水平にして硬さ測定する場合において、外筒の内周面とインパクトハンマの摺動面との摩擦抵抗力を低減させることができることとなって、測定方向に関係なくより精度よく硬さ測定を行うことができる。
【発明を実施するための最良の形態】
【０００９】
以下、図１により本発明の実施形態としての反発式ポータブル硬度計について説明する。
【００１０】
図１に示すように、反発式ポータブル硬度計１０は、円筒形の外筒１と、外筒１に内蔵された弾性部材（図示省略）の弾性力によって試料に向かって撥ね飛ばされるインパクトハンマ２と、外筒１の外周面に巻回された速度検出コイル（図示省略）等から構成されている。
インパクトハンマ２は、硬さ測定時に弾性部材の弾性力によって撥ね飛ばされ、外筒１の内周面１ａに、インパクトハンマ２の摺動面２ａが接触しながら外筒１内を摺動し、試料に衝突する。
この外筒１の内周面１ａと、インパクトハンマ２の摺動面２ａの少なくとも何れか一方には、摩擦低減処理が施されている。
【００１１】
摩擦低減処理は、例えば、外筒１の内周面１ａと、インパクトハンマ２の摺動面２ａの少なくとも何れか一方に、低摩擦係数の皮膜を形成する処理である。
より具体的には、例えば、アルバックテクノ株式会社のニダックス（商品名）、大橋化学工業株式会社のオフロン（商品名）、レイデント工業株式会社のレイデントＬＳＬ−２Ｆ（商品名）、日本パーカライジング株式会社のパルソナイト（商品名）、日本カニゼン株式会社のセラミックカニゼン（商品名）の何れかの皮膜を選択して、外筒１の内周面１ａと、インパクトハンマ２の摺動面２ａの少なくとも何れか一方をコーティングする処理を行う。
【００１２】
上述の摩擦低減処理を施すことによって、外筒１の内周面１ａと、内周面１ａに接触するインパクトハンマ２の摺動面２ａとの摩擦係数を低減することができる。従って、外筒１を水平にして硬さ測定する場合において、外筒１の内周面１ａとインパクトハンマ２の摺動面２ａとの摩擦抵抗力を低減させることができることとなって、測定方向に関係なくより精度よく硬さ測定を行うことができる。
【００１３】
なお、摩擦低減処理は上述の処理に限定されるものではない。また、反発式ポータブル硬度計を構成する外筒とインパクトハンマとの少なくとも何れか一方を低摩擦係数の材料を母材として形成してもよい。
【図面の簡単な説明】
【００１４】
【図１】本発明に係る反発式ポータブル硬度計の要部の断面図である。
【符号の説明】
【００１５】
１  外筒
１ａ  内周面
２  インパクトハンマ
２ａ  摺動面
１０  反発式ポータブル硬度計
【図１】
2005055350.tif 000003
(57)【要約】【課題】  酸性の塩類に曝されるコンクリート構造物に対して、その化学的腐食の劣化状況をリアルタイムに把握し、調査及び補修対策を行う上で重要な情報が得られるコンクリート構造物の酸による劣化モニタリング方法を提供する。【解決手段】  酸性の塩類で化学的腐食を受けるコンクリート構造物２の中に、酸の濃度の変化によって電気抵抗特性が変化する材料を事前に配置し、その電気抵抗値を常時モニタリングしてコンクリート構造物の化学的腐食の劣化状況をリアルタイムに把握する。【選択図】  図１
2005055331.tif 000002
【特許請求の範囲】
【請求項１】
コンクリート構造物の中に、酸の濃度の変化によって電気抵抗特性が変化する材料を事前に配置し、その電気抵抗値を常時モニタリングして、コンクリート構造物の化学的腐食の劣化状況をリアルタイムに把握するコンクリート構造物の酸による劣化モニタリング方法。
【発明の詳細な説明】
【技術分野】
【０００１】
本発明は、主として酸による化学的腐食をうけるコンクリートに対して、酸による腐食状況をリアルタイムに把握し、調査及び補修対策を行う上で重要な情報を提供するコンクリート構造物の酸による劣化モニタリング方法に関する。
【背景技術】
【０００２】
従来、コンクリートは多くの化学物質に侵食されるが、一般に、化学的腐食を受けるコンクリート構造物は主に以下の施設で用いられる。
【０００３】
１）酸、アルカリ、各種塩類を使用する工業施設
２）動植物油、有機酸、糖類などを使用する工業施設。
３）温泉地帯にある施設。
４）酸性河川流域にある施設。
５）下水道、下水処理施設。
【０００４】
これらの環境に曝されるコンクリート構造物は、通常何らかの被覆材料を施して化学的腐食を防止しているが、被覆材に何らかの原因により欠陥部が発生した場合、その部分から急激に化学的腐食が進行するため、早期に欠陥部を発見し、補修対策を講じることが求められており、これらの欠陥部をリアルタイムに、かつ容易に把握できる方法が求められている。
【発明の開示】
【発明が解決しようとする課題】
【０００５】
本発明は、上記の化学的腐食のうち、酸性の塩類に曝されるコンクリート構造物に対して、その化学的腐食の劣化状況をリアルタイムに把握し、調査及び補修対策を行う上で重要な情報が得られるコンクリート構造物の酸による劣化モニタリング方法を提供する。
【課題を解決するための手段】
【０００６】
本発明は、酸性の塩類で化学的腐食を受けるコンクリート構造物の中に、酸の濃度の変化によって電気抵抗特性が変化する材料を事前に配置し、その電気抵抗値を常時モニタリングして、コンクリート構造物の化学的腐食の劣化状況をリアルタイムに把握するコンクリート構造物の酸による劣化モニタリング方法からなる。
【発明の効果】
【０００７】
本発明の劣化モニタリング方法によれば、コンクリート構造物の化学的腐食の劣化状況をリアルタイムに把握でき、調査及び補修の対策を行なう上で重要な情報が得られる。
【０００８】
従って、コンクリート構造物の化学的腐食による欠陥部が発生した場合、それを早期に発見し、その補修対策を迅速に講ずることができ、コンクリート構造物の良好な保守、管理を行なうことができる。
【発明を実施するための最良の形態】
【０００９】
以下図面を参照して本発明の実施例を説明する。
【実施例】
【００１０】
図１は、その劣化モニタリング方法を適用するモニタリングシステムの概念図を示している。
【００１１】
本発明では、酸性の塩類に曝されるコンクリート構造物２の中に酸の濃度によって電気抵抗特性が変化する材料、例えばニッケル等で表面メッキした不織布、即ち、図１の導電性を有する不織布４、不織布５、不織布６等を間隔をあけて埋め込むなどにより配置し、それらの各電気抵抗値を各メーター７，８，９で常時モニタリングしている。
【００１２】
このモニタリングの原理は、コンクリート構造物２の表面に塗布された被覆材３等の保護層に、何らかの原因で図１の矢印Ａに示すごとく欠陥部が発生すると、その欠陥部Ａから水素イオン（Ｈ+ ）がコンクリート構造物２の中へと浸透し、その内部組織を破壊し、化学的侵食を起こす。
【００１３】
この時、上記のごとく予めコンクリート構造物２の内部の所定深さ位置に夫々間隔をあけて配置しておいた導電性を有する不織布４、不織布５、不織布６の電気抵抗値を常時モニタリングする。
【００１４】
化学的侵食が、ある程度の深さまで進行すると、図１に示すコンクリートの侵食範囲において、各導電性材料自体が変質（または腐食）する。
【００１５】
導電性材料が変質することにより、電気抵抗値は、図２の電気抵抗値と時間との関係図のように異常値を示し始め、コンクリート構造物２の侵食の深さを概略把握することができる。
【００１６】
これにより、補修調査・対策の時期を的確に把握でき、早期にコンクリート構造物２の危険度を感知することができる。
【００１７】
次に、確認実験として、幅２５ｍｍ、長さ２５０ｍｍの難燃性布に銅・ニッケルメッキされた材料Ｘを各種設定した濃度の硫酸溶液Ｙ（５０ｃｃ）に図３のように浸漬して、電気抵抗値の経時変化を測定した結果を、図４の抵抗値と経過時間との関係で示し、確認実験結果として示している。
【００１８】
上記の図４の確認実験結果において示すＣａｓｅ０〜４は次のとおりである。
Ｃａｓｅ０：浸漬なしで、大気中放置を示し、
Ｃａｓｅ１：18     mol/l   H2SO4溶液を、
Ｃａｓｅ２：1.8    mol/l   H2SO4溶液を、
Ｃａｓｅ３：0.18   mol/l   H2SO4溶液を、
Ｃａｓｅ４：0.018  mol/l   H2SO4溶液を、夫々示している。
【００１９】
この確認実験結果から、銅・ニッケルメッキされた難燃性布材料Ｘの電気抵抗値を測定することによって酸の濃度に応じた腐食状況をモニタリングできることが確認された。
【００２０】
また、モルタル供試体中（アルカリ環境中）に同様の布を配置した場合においても、上記と同様の電気抵抗特性が見られることが確認された。
【００２１】
以上の結果から、上記モニタリング材料をコンクリート構造物２中に埋設し、電気抵抗を連続的にモニタリングすることによって、酸によるコンクリートの劣化進行を把握できることが確認された。
【産業上の利用可能性】
【００２２】
本発明は、酸性の塩類に曝されるコンクリート構造物に対して広い分野において利用することが可能である。
【図面の簡単な説明】
【００２３】
【図１】本発明の劣化モニタリング方法を適用するモニタリングシステムの概念図である。
【図２】図１の各不織布の電気抵抗値の異常感知概念を示す関係図である。
【図３】本発明の確認実験として難燃性布に銅・ニッケルメッキされたものを各種設定した濃度の硫酸溶液に浸漬した状況を示す説明図である。
【図４】図３の確認実験の結果を示す図表である。
【符号の説明】
【００２４】
２  コンクリート構造物
【図１】
2005055331.tif 000003
【図２】
2005055331.tif 000004
【図３】
2005055331.tif 000005
【図４】
2005055331.tif 000006
(57)【要約】【課題】従来の物品注文用ウェブサイトは、１ページ内の情報が多く画像、文字等の表示が小さく、高齢者および初心者にとっては、決して使いやすいものとはいえなかった。さらに、発注者にとっても、この種のウェブサイトは基本的にオーダーメイドのため高価なものとなっていた【解決手段】注文商品を単一の種類とする。商品選択ページと注文フォームを分けることにより、１ページあたりの情報を減らし表示を大きくした。商品の選択は、近似の画面に引き継ぐことにより、完成形の注文フォームまで利用者が自分で盛り付ける感覚でたどり着ける。できるかぎりプログラムの共用・流用を図ることで価格を抑えることができた【選択図】図２
2005055933.tif 000002
【特許請求の範囲】
出前受注者のホームページに搭載するもの。出前受注者が契約したインターネットサービスプロバイダーの設置するサーバー上にアップロードされる範囲のものである
【請求項１】
複数の品目のなかから特定の品目を選択指定、次の同様のページに受け渡す選択ページ
【請求項２】
選択ページの最終端に設け個別の注文を行う注文フォーム
【請求項３】
選択ページのプログラムは可能なかぎり同様のものとし、品目写真の差し替えでページを構成する
【請求項４】
注文フォームのプログラムは可能なかぎり同様のものとし、品目写真の差し替えでページを構成する
【発明の詳細な説明】
【０００１】
【発明の属する技術分野】本発明はインターネットを介して食品出前の受注を図ることに関する
【０００２】
【発明が解決しようとする課題】従来、同種のウェブサイトでの問題点は、多くの場合、選択ページと注文フォームが同一であるということ。このため、単位ページ内の情報量が多く、表示される写真・文字が小さくなる。これを目立たせようという意図で動画が導入される。そのため利用者のパソコンへの表示に時間がかかる、画面が見づらいなどの弊害が起きている。これを解決するために、利用者に上位機種・高速回線の導入を求めるという本末転倒の状況も起こっている
【０００３】
【課題を解決するための手段】本発明は、選択ページと注文フォームを個別としたこと。それぞれのページの情報量を減らすこと。以上より課題を解決した。減らした分はページを増やすことで対応したが、これはサーバー上のウェブサイトの容量が増加するということであって、利用者のパソコンには１ページずつダウンロードされるので、古い機種、また、ダイヤル回線で十分表示が可能である
【０００４】
【発明の実施の形態】本サイトの設置場所と情報の流れは図１に示すとおり。図２にもとづき構造を明らかにする。選択ページは、扉ページの次の第１階層から始まり、第ｎ階層までとし、利用者が選択行為を実行することで次階層へと進む。最後に、第ｎ階層の次に注文フォームが配され、これを利用者が操作することで発注される。ちなみに、ｎは、ホームページの契約容量から５階層程度が、また、各層の選択肢は、画面寸法の制約上２〜４個ぐらいが適当と思われる。
次に、本発明が「握りずし」に適用された場合を示す。図３は第２階層の選択ページ、図４は注文フォームである。利用者が、図３の下部に配置された３個の選択肢のうち１つを選ぶことにより第３階層の選択ページが表示される。この作業を繰り返すことにより、商品の完成形が掲載された注文フォームが出現する
【０００５】
【発明の効果】従来のウェブサイトは、一つひとつが注文者の業態に合わせたオーダーメイドであったため高価なものとなっていた。本発明は、サイトから注文できる商品種別を「弁当」、「すし」などと単一種に特化させることにより、基本的なプログラムを可能なかぎり共用、流用することができた。このため、主な作業は注文者から提供される品目写真、価格表示の変更、また、背景の差し替え程度に絞ることができ低価格化を実現できた。さらに、サイト内の画面構成が近似のものとなるので、利用者は違和感をおぼえることなく操作できる
【図面の簡単な説明】
【図１】システム概略図
情報の流れとサイトの設置場所を示した概略図である
【図２】サイト構造図
サイトの構造を示したツリー図である
【図３】選択ページ表示画像図
利用者に示される「握りずし」における選択ページの画像図である
【図４】注文フォーム表示画像図
利用者に示される「握りずし」における注文フォームの画像図である
【図１】
2005055933.tif 000003
【図２】
2005055933.tif 000004
【図３】
2005055933.tif 000005
【図４】
2005055933.tif 000006